【手続補正書】
【提出日】平成28年1月27日(2016.1.27)
【手続補正１】
【補正対象書類名】明細書
【補正対象項目名】０１６６
【補正方法】変更
【補正の内容】
【０１６６】
本明細書は、特定の例示的な実施形態に関して詳細を述べているが、当業者は、上述の説明を理解した上で、これらの実施形態の代替物、変更物、及び均等物を容易に想起することができるであろう。したがって、本開示は本明細書で前述の例示の実施形態に不当に限定されるべきではないと理解すべきである。更に、本明細書にて参照される全ての出版物、公開特許出願、及び発行された特許は、それぞれの個々の出版物又は特許が参照により援用されることを明確に且つ個別に指示したかのごとく、それらの全体が同じ範囲で、参照により本明細書に援用される。様々な例示的な実施形態が上述されている。これら及び他の実施形態は、開示される実施形態及び特許請求の範囲の以下の列挙の範囲内である。本発明の実施態様の一部を以下の項目［１］−［２３］に記載する。
［１］
物品であって、
（コ）ポリマーフィルム又は電子デバイスから選択される基材であって、前記電子デバイスが、有機発光デバイス（ＯＬＥＤ）、電気泳動発光デバイス、液晶ディスプレイ、薄膜トランジスタ、光起電デバイス、又はこれらの組み合わせを更に含む、基材と、
前記基材の主表面上のベース（コ）ポリマー層と、
前記ベース（コ）ポリマー層上の酸化物層と、
前記酸化物層上の保護（コ）ポリマー層と、を含み、前記保護（コ）ポリマー層が、次式：
ＲＳ−Ｎ（Ｈ）−Ｃ（Ｏ）−Ｏ−ＲＡ又はＲＳ−Ｏ−Ｃ（Ｏ）−Ｎ（Ｈ）−ＲＡ（式中、
ＲＳは、式：−Ｒ１−［Ｓｉ（Ｙｐ）（Ｒ２）３−ｐ］ｑ（更に、式中、
Ｒ１は、多価アルキレン、アリーレン、アルカリーレン、又はアラルキレン基であり、前記アルキレン、アリーレン、アルカリーレン、又はアラルキレン基は、任意に、１つ以上のカテナリー酸素原子を含有し、
各Ｙは、加水分解性基であり、
Ｒ２は、一価のアルキル又はアリール基であり、
ｐは、１、２、又は３であり、
ｑは、１〜５である）のシラン含有基であり、
ＲＡは、式：Ｒ１１−（Ａ）ｎ（式中、
Ｒ１１は、多価アルキレン、アリーレン、アルカリーレン、又はアラルキレン基であり、前記アルキレン、アリーレン、アルカリーレン、又はアラルキレン基は、任意に、１つ以上のカテナリー酸素原子を含有し、
Ａは、式：Ｘ２−Ｃ（Ｏ）−Ｃ（Ｒ３）＝ＣＨ２
（更に、式中、
Ｘ２は、−Ｏ、−Ｓ、又は−ＮＲ３であり、
Ｒ３は、Ｈ、又はＣ１〜Ｃ４である）を含む（メタ）アクリル基であり、
ｎは、１〜５である）の（メタ）アクリル基含有基である）の少なくとも１つのウレタン（複数）−（メタ）アクリレート（複数）−シラン前駆体化合物の反応生成物を含む、物品。
［２］
Ｙが、個々に、アルコキシ基、アセテート基、アリールオキシ基、及びハロゲンからなる群から選択される、項目１に記載の物品。
［３］
Ｙが、アルコキシ基から選択される、項目１又は２に記載の物品。
［４］
前記ベース（コ）ポリマー層上に複数の交互に重なる前記酸化物層及び前記保護（コ）ポリマー層を更に含む、項目１〜３のいずれかに記載の物品。
［５］
前記基材が、可撓性透明（コ）ポリマーフィルムを含み、任意に、前記基材が、ポリエチレンテレフタレート（ＰＥＴ）、ポリエチレンナフタレート（ＰＥＮ）、熱安定化ＰＥＴ、熱安定化ＰＥＮ、ポリオキシメチレン、ポリビニルナフタレン、ポリエーテルエーテルケトン、フルオロ（コ）ポリマー、ポリカーボネート、ポリメチルメタクリレート、ポリα−メチルスチレン、ポリスルホン、ポリフェニレンオキシド、ポリエーテルイミド、ポリエーテルスルホン、ポリアミドイミド、ポリイミド、ポリフタルアミド、又はこれらの組み合わせを含む、項目１〜４のいずれかに記載の物品。
［６］
前記ベース（コ）ポリマー層が、（メタ）アクリレート平滑化層を含む、項目１〜５のいずれかに記載の物品。
［７］
前記酸化物層が、ＩＩＡ、ＩＩＩＡ、ＩＶＡ、ＶＡ、ＶＩＡ、ＶＩＩＡ、ＩＢ、若しくはＩＩＢ族の原子、ＩＩＩＢ、ＩＶＢ、若しくはＶＢ族の金属、希土類金属、又はこれらの組み合わせの酸化物、窒化物、炭化物又はホウ化物を含む、項目１〜６のいずれかに記載の物品。
［８］
前記保護（コ）ポリマー層に塗布される酸化物層を更に含み、任意に、前記酸化物層が、ケイ素アルミニウム酸化物を含む、項目１〜７のいずれかに記載の物品。
［９］
前記物品が、固体照明デバイス、ディスプレイデバイス、及びこれらの組み合わせから選択される、項目１〜８のいずれかに記載の物品を組み込む電子デバイス。
［１０］
前記固体照明デバイスが、半導体発光ダイオード、有機発光ダイオード、及びポリマー発光ダイオードから選択される、項目９に記載の電子デバイス。
［１１］
前記ディスプレイデバイスが、液晶ディスプレイ、有機発光ダイオードディスプレイ、及び量子ドットディスプレイから選択される、項目９に記載の電子デバイス。
［１２］
方法であって、
（ａ）（コ）ポリマーフィルム又は電子デバイスから選択される基材の主表面にベース（コ）ポリマー層を塗布する工程であって、前記電子デバイスが、有機発光デバイス（ＯＬＥＤ）、電気泳動発光デバイス、液晶ディスプレイ、薄膜トランジスタ、光起電デバイス、又はこれらの組み合わせを更に含む、工程と、
（ｂ）前記ベース（コ）ポリマー層上に酸化物層を塗布する工程と、
（ｃ）前記酸化物層上に保護（コ）ポリマー層を堆積させる工程と、を含み、前記保護（コ）ポリマー層が、次式：
ＲＳ−Ｎ（Ｈ）−Ｃ（Ｏ）−Ｏ−ＲＡ又はＲＳ−Ｏ−Ｃ（Ｏ）−Ｎ（Ｈ）−ＲＡ（式中、
ＲＳは、式：−Ｒ１−［Ｓｉ（Ｙｐ）（Ｒ２）３−ｐ］ｑ（更に、式中、
Ｒ１は、多価アルキレン、アリーレン、アルカリーレン、又はアラルキレン基であり、前記アルキレン、アリーレン、アルカリーレン、又はアラルキレン基は、任意に、１つ以上のカテナリー酸素原子を含有し、
各Ｙは、加水分解性基であり、
Ｒ２は、一価のアルキル又はアリール基であり、
ｐは、１、２、又は３であり、
ｑは、１〜５である）のシラン含有基であり、
ＲＡは、式：Ｒ１１−（Ａ）ｎ（式中、
Ｒ１１は、多価アルキレン、アリーレン、アルカリーレン、又はアラルキレン基であり、前記アルキレン、アリーレン、アルカリーレン、又はアラルキレン基は、任意に、１つ以上のカテナリー酸素原子を含有し、
Ａは、式：Ｘ２−Ｃ（Ｏ）−Ｃ（Ｒ３）＝ＣＨ２
（更に、式中、
Ｘ２は、−Ｏ、−Ｓ、又は−ＮＲ３であり、
Ｒ３は、Ｈ、又はＣ１〜Ｃ４である）を含む（メタ）アクリル基であり、
ｎは、１〜５である）の（メタ）アクリル基含有基である）の少なくとも１つのウレタン（複数）−（メタ）アクリレート（複数）−シラン前駆体化合物の反応生成物を含む、方法。
［１３］
Ｙが、アルコキシ基、アセテート基、アリールオキシ基、及びハロゲンからなる群から選択される、項目１２に記載の方法。
［１４］
Ｙが、アルコキシ基から選択される、項目１３に記載の方法。
［１５］
前記少なくとも１つのウレタン（複数）−（メタ）アクリレート（複数）−シラン前駆体化合物前駆体化合物が、化学反応して、前記酸化物層の少なくとも一部上で前記保護（コ）ポリマー層を形成し、任意に、前記化学反応が、フリーラジカル重合反応及び加水分解反応から選択される、項目１２〜１４のいずれかに記載の方法。
［１６］
工程（ａ）が、
（ｉ）前記ベース（コ）ポリマー前駆体を蒸発させることと、
（ｉｉ）前記蒸発したベース（コ）ポリマー前駆体を前記基材上で凝結させることと、
（ｉｉｉ）前記蒸発したベース（コ）ポリマー前駆体を硬化させて、前記ベース（コ）ポリマー層を形成することと、を含む、項目１２〜１５のいずれかに記載の方法。
［１７］
前記ベース（コ）ポリマー前駆体が、（メタ）アクリレートモノマーを含む、項目１２〜１６のいずれかに記載の方法。
［１８］
工程（ｂ）が、前記ベース（コ）ポリマー層上に酸化物を堆積させて前記酸化物層を形成することを含み、堆積が、スパッタ堆積、反応性スパッタリング、化学蒸着、又はこれらの組み合わせを用いて行われる、項目１２〜１７のいずれかに記載の方法。
［１９］
工程（ｂ）が、無機ケイ素アルミニウム酸化物の層を前記ベース（コ）ポリマー層上に塗布することを含む、項目１２〜１８のいずれかに記載の方法。
［２０］
工程（ｂ）及び（ｃ）を順次繰り返して、前記ベース（コ）ポリマー層上に複数の交互に重なる前記保護（コ）ポリマー層及び前記酸化物層を形成することを更に含む、項目１２〜１９のいずれかに記載の方法。
［２１］
工程（ｃ）が、液体混合物から前記少なくとも１つのウレタン（複数）−（メタ）アクリレート（複数）−シラン前駆体化合物前駆体化合物と（メタ）アクリレート化合物とを同時に蒸発させるか、又は別々の液体源から前記少なくとも１つのウレタン（複数）−（メタ）アクリレート（複数）−シラン前駆体化合物前駆体化合物と（メタ）アクリレート化合物とを順次蒸発させるか、のうちの少なくとも１つを更に含み、任意に、前記液体混合物が、約１０重量％以下の前記ウレタン（複数）−（メタ）アクリレート（複数）−シラン前駆体化合物前駆体化合物を含む、項目１２〜２０のいずれかに記載の方法。
［２２］
工程（ｃ）が、前記ウレタン（複数）−（メタ）アクリレート（複数）−シラン前駆体化合物前駆体化合物と前記（メタ）アクリレート化合物とを酸化物層上で同時に凝結させるか、又は前記ウレタン（複数）−（メタ）アクリレート（複数）−シラン前駆体化合物前駆体化合物と前記（メタ）アクリレート化合物とを前記酸化物層上で順次凝結させるか、のうちの少なくとも１つを更に含む、項目２１に記載の方法。
［２３］
前記酸化物層上で保護（コ）ポリマー層を形成するための前記ウレタン（複数）−（メタ）アクリレート（複数）−シラン前駆体化合物前駆体化合物と前記（メタ）アクリレート化合物との反応が、前記酸化物層の少なくとも一部上で生じる、項目１２〜２２のいずれかに記載の方法。
【手続補正２】
【補正対象書類名】特許請求の範囲
【補正対象項目名】全文
【補正方法】変更
【補正の内容】
【特許請求の範囲】
【請求項１】
物品であって、
（コ）ポリマーフィルム又は電子デバイスから選択される基材であって、前記電子デバイスが、有機発光デバイス（ＯＬＥＤ）、電気泳動発光デバイス、液晶ディスプレイ、薄膜トランジスタ、光起電デバイス、又はこれらの組み合わせを更に含む、基材と、
前記基材の主表面上のベース（コ）ポリマー層と、
前記ベース（コ）ポリマー層上の酸化物層と、
前記酸化物層上の保護（コ）ポリマー層と、を含み、前記保護（コ）ポリマー層が、次式：
ＲＳ−Ｎ（Ｈ）−Ｃ（Ｏ）−Ｏ−ＲＡ又はＲＳ−Ｏ−Ｃ（Ｏ）−Ｎ（Ｈ）−ＲＡ
の少なくとも１つのウレタン（マルチ）−（メタ）アクリレート（マルチ）−シラン前駆体化合物の反応生成物を含み、
式中、ＲＳは、式：−Ｒ１−［Ｓｉ（Ｙｐ）（Ｒ２）３−ｐ］ｑのシラン含有基であり、更に、Ｒ１は、多価アルキレン、アリーレン、アルカリーレン、又はアラルキレン基であり、前記アルキレン、アリーレン、アルカリーレン、又はアラルキレン基は、任意に、１つ以上のカテナリー酸素原子を含有し、
各Ｙは、加水分解性基であり、
Ｒ２は、一価のアルキル又はアリール基であり、
ｐは、１、２、又は３であり、
ｑは、１〜５であり、
ＲＡは、式：Ｒ１１−（Ａ）ｎの（メタ）アクリル基含有基であり、
Ｒ１１は、多価アルキレン、アリーレン、アルカリーレン、又はアラルキレン基であり、前記アルキレン、アリーレン、アルカリーレン、又はアラルキレン基は、任意に、１つ以上のカテナリー酸素原子を含有し、
Ａは、式：Ｘ２−Ｃ（Ｏ）−Ｃ（Ｒ３）＝ＣＨ２を含む（メタ）アクリル基であり、
Ｘ２は、−Ｏ、−Ｓ、又は−ＮＲ３であり、
Ｒ３は、Ｈ、又はＣ１〜Ｃ４であり、
ｎは、１〜５である、物品。
【請求項２】
Ｙが、個々に、アルコキシ基、アセテート基、アリールオキシ基、及びハロゲンからなる群から選択される、請求項１に記載の物品。
【請求項３】
前記物品が、固体照明デバイス、ディスプレイデバイス、及びこれらの組み合わせから選択される、請求項１〜２のいずれか一項に記載の物品を組み込む電子デバイス。
【請求項４】
方法であって、
（ａ）（コ）ポリマーフィルム又は電子デバイスから選択される基材の主表面にベース（コ）ポリマー層を塗布する工程であって、前記電子デバイスが、有機発光デバイス（ＯＬＥＤ）、電気泳動発光デバイス、液晶ディスプレイ、薄膜トランジスタ、光起電デバイス、又はこれらの組み合わせを更に含む、工程と、
（ｂ）前記ベース（コ）ポリマー層上に酸化物層を塗布する工程と、
（ｃ）前記酸化物層上に保護（コ）ポリマー層を堆積させる工程と、を含み、前記保護（コ）ポリマー層が、次式：
ＲＳ−Ｎ（Ｈ）−Ｃ（Ｏ）−Ｏ−ＲＡ又はＲＳ−Ｏ−Ｃ（Ｏ）−Ｎ（Ｈ）−ＲＡ
の少なくとも１つのウレタン（マルチ）−（メタ）アクリレート（マルチ）−シラン前駆体化合物の反応生成物を含み、
式中、ＲＳは、式：−Ｒ１−［Ｓｉ（Ｙｐ）（Ｒ２）３−ｐ］ｑのシラン含有基であり、更に、Ｒ１は、多価アルキレン、アリーレン、アルカリーレン、又はアラルキレン基であり、前記アルキレン、アリーレン、アルカリーレン、又はアラルキレン基は、任意に、１つ以上のカテナリー酸素原子を含有し、
各Ｙは、加水分解性基であり、
Ｒ２は、一価のアルキル又はアリール基であり、
ｐは、１、２、又は３であり、
ｑは、１〜５であり、
ＲＡは、式：Ｒ１１−（Ａ）ｎの（メタ）アクリル基含有基であり、
Ｒ１１は、多価アルキレン、アリーレン、アルカリーレン、又はアラルキレン基であり、前記アルキレン、アリーレン、アルカリーレン、又はアラルキレン基は、任意に、１つ以上のカテナリー酸素原子を含有し、
Ａは、式：Ｘ２−Ｃ（Ｏ）−Ｃ（Ｒ３）＝ＣＨ２を含む（メタ）アクリル基であり、
Ｘ２は、−Ｏ、−Ｓ、又は−ＮＲ３であり、
Ｒ３は、Ｈ、又はＣ１〜Ｃ４である）
ｎは、１〜５である、方法。
【請求項５】
Ｙが、アルコキシ基、アセテート基、アリールオキシ基、及びハロゲンからなる群から選択される、請求項４に記載の方法。